(57)【要約】【課題】従来の楕円ローラー付き洗濯バサミは、洗濯物が自然に外れ易く、洗濯物をはさみにくいという問題があった。これは、楕円ローラーと洗濯物との接触面が滑りやすいことおよび洗濯バサミのはさみ部を開いた時に楕円ローラーの回転が制御されていないことから自由に回転するためである。【解決手段】楕円ローラーにギザ歯を設け洗濯物が外れる時、洗濯物が滑ることを防ぐともに、楕円ローラーを確実に回転させ洗濯バサミのはさみ部を広げる事によりバネの反発力が増加することを利用して洗濯物が自然に外れることを防止する。閉じている状態では楕円ローラー同士を平滑な平面で接触させ、一定の位置に楕円ローラーを戻すとともに洗濯バサミ本体及び楕円ローラーに回転制御の突起を設け、軽く固定する構成とした。これにより洗濯物が自然には外れにくく、取り外しが簡単で、はさみ易くすることができる。【選択図】図１
2007029683.tif 000002
【特許請求の範囲】
【請求項１】
はさみ部の両側に正面が楕円形状のローラーを回転可能に取り付けた洗濯バサミにおいて、前記楕円形状のローラーが一部平滑な平面を持つギザ歯を備え、このローラーを回転制御可能に取り付けたことを特徴とする洗濯バサミ。
【発明の詳細な説明】
【技術分野】
【０００１】  本発明は、洗濯物の取り外しが簡単であるが自然には外れにくく、かつ洗濯物をはさむ時には、はさみやすい洗濯バサミ関する。
【背景技術】
【０００２】  従来の回転するローラー付き洗濯バサミには、滑らかな圧着面の楕円ローラー付きのものがある（例えば、特許文献１及び特許文献２参照。）。
また、円形歯車ローラー付きのもの（例えば、特許文献３参照。）及び偏心位置を軸支えした円形歯車ローラー付きのものもある（例えば、特許文献４参照。）。【０００３】  滑らかな圧着面の楕円ローラー付きのものは、洗濯物を吊した時に楕円ローラーと洗濯物との接触面が滑りやすいために、外れようとする洗濯物が楕円ローラーを確実に回転させ、洗濯バサミのはさみ部を広げる事によりバネの反発力を増加させて洗濯物を圧着させることができないため洗濯物が自然に外れ易い。また洗濯物をはさむ時に、洗濯バサミのはさみ部を開くと楕円ローラーが制御されていないため、楕円ローラーが自由に回転し洗濯物をはさみにくい。【０００４】  円形歯車ローラー付きのものは、薄い布地の洗濯物をはさんだときには歯車同士が噛み合い、円形歯車ローラーを回転させることはできるが、厚い布地の場合十分な噛み合わせが困難であり、円形歯車ローラーを確実に回転させることはできない。いずれの布地を吊した場合もローラーが円形であり、ローラーが回転する際にバネの反発力の増加を利用できないため自然に外れやすい。【０００５】  偏心位置を軸支えした円形歯車ローラー付きのものは、円形歯車ローラー同士の噛み合いが無いため、洗濯物を吊した時にローラーと洗濯物との接触面が滑りやすいために、外れようとする洗濯物が偏心位置を軸支えした円形歯車ローラーを確実に回転させ、洗濯バサミのはさみ部を広げる事によりバネの反発力を増加させて洗濯物を圧着させることができないため洗濯物が自然に外れ易い。また洗濯物をはさむ時に、洗濯バサミのはさみ部を開くとローラーが制御されていないため、円形歯車ローラーが自由に回転し洗濯物をはさみにくい。【０００６】
【特許文献１】  実願昭５４−１０４６９０号公報
【特許文献２】  実願昭５６−１８６１号公報
【特許文献３】  実願昭５４−１１６３５４号公報
【特許文献４】  実願昭５８−１１７４９６号公報
【発明の開示】
【発明が解決しようとする課題】
【０００７】  以上に述べた従来の楕円ローラー付き洗濯バサミ及び偏心位置を軸支えした円形歯車ローラー付き洗濯バサミでは、洗濯物を吊した時にローラーと洗濯物との接触面が滑りやすいために、外れようとする洗濯物がローラーを確実に回転させ、洗濯バサミのはさみ部を広げる事によりバネの反発力を増加させて洗濯物を圧着させることができないため外れ易く、また洗濯物をはさむ時に、洗濯バサミのはさみ部を開くとローラーが固定されていないため、ローラーが回転し洗濯物をはさみにくいものであった。また円形歯車ローラー付きの洗濯バサミは、ローラーが円形であり、ローラーが回転しても洗濯バサミのはさみ部が広がらないためにバネの反発力の増加を利用できないため外れやすいものであった。【０００８】  本発明は、このような従来の構成が有していた問題を解決しようとするものであり、洗濯物の取り外しが簡単であるが自然には外れにくく、かつ洗濯物をはさむ時には、はさみやすい洗濯バサミを実現することを目的とするものである。
【課題を解決するための手段】
【０００９】  そして、本発明は上記目的を達成するために洗濯バサミに、一部平滑な平面を持つギザ歯の付いた回転する楕円ローラーをはさみ部の両側に取り付けたものである。【００１０】  また、第２の課題解決手段は、洗濯バサミ本体先端に突起及び楕円ローラーにこの突起受け突起を設けたものである。【００１１】  上記第１の課題解決手段による作用は次の通りである。すなわち楕円ローラーにギザ歯を設けることにより、洗濯物を吊した時に洗濯物が滑り落ちることを防止するとともに、落ちようとする洗濯物が楕円ローラーを確実に回転させ、洗濯バサミのはさみ部を広げる事によりバネの反発力を増加させて洗濯物を圧着させ洗濯物が落ちることを防止する。洗濯物の取り外しは、洗濯バサミを押さえ洗濯物を強く引くことにより楕円ローラーが容易に回転し洗濯バサミのはさみ部を人力で開くことなく簡単にできる。また洗濯バサミが洗濯物をはさまずに閉じている状態は、楕円ローラーに平滑な平面を設けてこの面で楕円ローラー同士を接触させておくことにより、バネの反発力により、確実に一定の位置に楕円ローラーを戻すことができる。【００１２】  また第２の課題解決手段による作用は、第１の課題解決手段による作用により一定の位置に戻った楕円ローラーを洗濯バサミ本体先端の突起及び楕円ローラーの突起受け突起により軽く固定することにより、洗濯物をはさむために洗濯バサミのはさみ部を開いても楕円ローラーが自由に回転しないことから、洗濯物をはさみ易い。
【発明の効果】
【００１３】  上述したように本発明の洗濯バサミは、洗濯物の取り外しが簡単であるが自然には外れにくい洗濯バサミを提供できる。【００１４】  また、洗濯バサミのはさみ部を開いても楕円ローラーが軽く固定されているため、楕円ローラーが自由に回転せずに洗濯物がはさみに易いという効果を発揮するものである。
【発明を実施するための最良の形態】
【００１５】  以下、本発明の形態を図１〜図９に基づいて説明する。【００１６】  図１において１は、合成樹脂製の洗濯バサミ本体で図３に示すように先をＹ型にして軸受け１１および軸押さえ１２に楕円ローラー２のローラー回転軸２２をはさみ合成樹脂製の楕円ローラー２を取り付ける。この楕円ローラー２を介して２組の洗濯バサミ本体１が洗濯物をはさむ構造とする。洗濯バサミ本体１は鋼製のバネ３によりはさみ部を閉じる。【００１７】  楕円ローラー２は、平滑な平面２５とこの平滑な平面から飛び出した滑り止めギザ歯２４及び平滑な平面より低い滑り止めギザ歯２６を設ける。また、曲面部にも曲面部の滑り止めギザ歯２７を設ける。【００１８】  洗濯バサミが閉じて楕円ローラー２同士が平滑な平面２５で接触している状態では、平滑な平面から飛び出した滑り止めギザ歯２４と平滑な平面より低い滑り止めギザ歯２６はお互いに接触させない構造とする。図９は反転させて設置した同一形状の楕円ローラー２同士が平滑な平面２５で接触している状態の断面を示す。図９において平滑な平面より飛び出した滑り止めギザ歯２４は、平滑な平面より低い滑り止めギザ歯２６より狭い幅とし、平滑な平面２５に接触することを防ぐ。【００１９】  洗濯バサミ本体１の先端に、洗濯バサミが閉じる際に楕円ローラー２が所定の位置に戻ることを拘束しない剛性の小さなローラー回転制御突起取り付けアーム１３を設け、ここにローラー回転制御突起１４を設ける。また楕円ローラー２には、ローラー回転制御突起１４を受けるローラー回転制御突起受け突起２３を設ける。【００２０】  楕円ローラー２のローラー回転軸２２の付け根に、ローラー回転制御突起受け突起２３より突き出たローラー横移動制限突起２１を設ける。【００２１】  以下、上記構成の動作を説明する。はさまれた洗濯物が洗濯バサミから外れようとすると、ギザ歯により洗濯物が滑らず確実に楕円ローラー２を回転させる。楕円ローラー２が回転する事により、洗濯バサミ本体１のはさみ部が開く。これに従ってバネ３も開き、はさみ込む力が増大する。従ってばねの力の増加により洗濯物が自然には外れにくくなる。【００２２】  次に洗濯物を外す時は、楕円ローラー２が容易に回転することから、洗濯バサミを押さえ洗濯物を引くことにより、洗濯バサミのはさみ部を人為的に開くこと無く外すことができる。【００２３】  洗濯物が外れた後は、バネ３の力により楕円ローラーが回転して洗濯バサミのはさみ部が閉じるが、楕円ローラー２同士の接触面を平滑な平面２５とすることにより、確実に所定の位置に楕円ローラー２を戻すことができる。【００２４】  所定の位置に戻った楕円ローラー２は、洗濯バサミ本体１の先端にあるローラー回転制御突起１４および楕円ローラー２のローラー回転制御突起受け突起２３により制御されることから自由な回転はしない。従って洗濯物をはさむことが容易となる。
【図面の簡単な説明】
【００２５】
【図１】    本発明の組み立て正面図
【図２】    図１におけるＡ−Ａ線断面図
【図３】    図１におけるＢ−Ｂ線平面図
【図４】    図３におけるＣ−Ｃ線側面図
【図５】    図３におけるＤ−Ｄ線正面図
【図６】    本発明楕円ローラーの正面図
【図７】    本発明楕円ローラーの側面図
【図８】    本発明楕円ローラーの平面図
【図９】    本発明楕円ローラー組み合わせ詳細断面図
【符号の説明】
【００２６】  １    洗濯バサミ本体
１１  軸受け
１２  軸押さえ
１３  ローラー回転制御突起取り付けアーム
１４  ローラー回転制御突起
２    楕円ローラー
２１  ローラー横移動制限突起
２２  ローラー回転軸
２３  ローラー回転制御突起受け突起
２４  平滑な平面より飛び出した滑り止めギザ歯
２５  平滑な平面
２６  平滑な平面より低い滑り止めギザ歯
２７  曲面部の滑り止めギザ歯
３    バネ
【図１】
2007029683.tif 000003
【図２】
2007029683.tif 000004
【図３】
2007029683.tif 000005
【図４】
2007029683.tif 000006
【図５】
2007029683.tif 000007
【図６】
2007029683.tif 000008
【図７】
2007029683.tif 000009
【図８】
2007029683.tif 000010
【図９】
2007029683.tif 000011